(57)【要約】      （修正有）【課題】収容室内でのシール部材の装着状態を十分に確認できるコネクタを提供する。【解決手段】コネクタ１は、相手側コネクタを収容する収容溝を有するハウジング２と、収容溝に挿入されてハウジング２のハウジング本体に装着されるシール部材３と、ハウジング２の側面に開口して、ハウジング本体に装着されたシール部材３を外部に露呈させる視認孔とを備える。視認孔は、ハウジング２のハウジング本体を覆うフード２２に開口した貫通孔２２２ａと、フード２２上に位置する係止部材２３の貫通溝２３ａとから成る。貫通孔２２２ａと貫通溝２３ａとは、互いが連通している。【選択図】図１
2010061911.tif 000002
【特許請求の範囲】
【請求項１】
相手側コネクタを収容する収容溝を有するハウジングと、
前記収容溝に挿入されて前記ハウジングのハウジング本体に装着されるシール部材と、
前記ハウジングの側面に開口して、前記ハウジング本体に装着された前記シール部材を外部に露呈させる視認孔とを備えることを特徴とするコネクタ。
【請求項２】
前記視認孔は、
前記ハウジングのハウジング本体を覆うフードに開口した貫通孔と、
前記フード上に位置する係止部材の貫通溝とから成り、
前記貫通孔と前記貫通溝とが連通している
ことを特徴とする請求項１に記載のコネクタ。
【請求項３】
前記ハウジングは、前記収容構内で揺動自在に支持されて、揺動動作に応じて前記収容構内に前記相手側コネクタを引き込み、嵌合時には前記係止部材と係合し揺動動作が規制されるレバーを有し、
前記貫通孔と前記貫通溝はハウジングの向かい合う一対の側面にそれぞれ配置されている
ことを特徴とする請求項２に記載のコネクタ。
【請求項４】
前記ハウジングに前記レバーを支持する支持突起と前記係止部材が前記ハウジングの中心に対して線対称に配置されており、
前記ハウジングに対し前記レバーを２つのいずれかの向きで装着できる
ことを特徴とする請求項３記載のコネクタ。
【発明の詳細な説明】
【技術分野】
【０００１】
本発明は、相手側コネクタを収容する収容溝にシール部材を収容して装着するコネクタに関する。
【背景技術】
【０００２】
この種のコネクタは、下記の特許文献１に開示されている。このコネクタのコネクタハウジングは、複数の端子キャビティが形成されたハウジング本体と、ハウジング本体を包囲する形態の筒状嵌合部とからなり、筒状嵌合部とハウジング本体との間の空間に相手側コネクタのフード部を嵌入される。ハウジング本体の外周面には、リング状をなすシール部材が装着される。相手側コネクタのフード部が嵌合されると、フード部とハウジング本体との間がシール部材によってシールされる。
【０００３】
【特許文献１】特開２００３−３６９２０号公報
【発明の開示】
【発明が解決しようとする課題】
【０００４】
相手側コネクタの挿入される空間にシール部材を装着してシールを行う上記従来のコネクタでは、上記空間の外壁を構成する筒状嵌合部に遮られて、シール部材を外方から視認できなかった。このため、上記空間内でのシール部材の装着状態を、十分に確認できなかった。
【０００５】
本発明は斯かる課題に鑑みてなされたもので、上記課題を解決できるコネクタを提供することを目的とする。
【課題を解決するための手段】
【０００６】
このような目的を達成するために、本発明のコネクタは、相手側コネクタを収容する収容溝を有するハウジングと、前記収容溝に挿入されて前記ハウジングのハウジング本体に装着されるシール部材と、前記ハウジングの側面に開口して、前記ハウジング本体に装着された前記シール部材を外部に露呈させる視認孔とを備えることを特徴とする。
また、本発明は、前記視認孔が、前記ハウジングのハウジング本体を覆うフードに開口した貫通孔と、前記フード上に位置する係止部材の貫通溝とから成り、前記貫通孔と前記貫通溝とが連通していることを特徴とする。
また、本発明は、前記ハウジングが、前記収容構内で揺動自在に支持されて、揺動動作に応じて前記収容構内に前記相手側コネクタを引き込み、嵌合時には前記係止部材と係合し揺動動作が規制されるレバーを有し、前記貫通孔と前記貫通溝がハウジングの向かい合う一対の側面にそれぞれ配置されていることを特徴とする。
また、本発明は、前記ハウジングに前記レバーを支持する支持突起と前記係止部材が前記ハウジングの中心に対して線対称に配置されており、前記ハウジングに対し前記レバーを２つのいずれかの向きで装着できることを特徴とする。
【発明の効果】
【０００７】
本発明によれば、収容溝に収容されたシール部材が視認孔を通して外部から視認できるので、シール部材の装着状態を十分に確認できる。
更に、レバーを有するコネクタでは、レバーにより一方側の視認孔からの装着状態の確認作業が困難な場合でも、他方の視認孔から確実に装着状態を確認できる。
【発明を実施するための最良の形態】
【０００８】
以下、図面を参照して、本発明の最良の形態を説明する。
図１は本実施形態のコネクタ１の後方からの分解斜視図である。図２はコネクタの横断面図である。図３は
フロントホルダとレバーが取り付けられていないコネクタ１の正面図である。
【０００９】
図１に示すように、コネクタ１は、前側からシール部材３とフロントホルダ４を、後側からレバー５と電線Ｗ及びゴム栓７が取り付けられた雌型の端子６を、それぞれハウジング２に装着して構成される。ハウジング２は端子収容室２１ａを有するハウジング本体２１（図２参照）と、ハウジング本体２１を取り囲んでいるフード２２と、フード２２の内、左右のフード部２２２の外面側に一体的に形成された弾性変形可能な係止部材（ロックアーム）２３とを有しており、略四角ブロックを呈している。レバ−５は２つの側板５１と、その側板５１間を連結している操作部５２とから成り、略コ字状を呈している。また、レバー５の側板５１には揺動孔５１ａとガイド孔５１ｂが設けられている。シール部材３はハウジング本体２１の外周と同じ四角環状を呈している。
【００１０】
ハウジング２の後側には、端子６が装着される端子収容室２１ａがハウジング本体２１より連続して後方に向かって突設されている。図２及び図３に示すように、ハウジング２の前面には、相手側コネクタの嵌合フード部（不図示）が挿入される収容溝Ｓが、ハウジング本体２１の外周に沿って略四角環状を呈して開口しており、ハウジング２の後方に向かって延びている。また、図３に示すように、上下のフード部２２１の後方側にはスリット８が設けられており、レバー５の側板５１を収容溝Ｓに挿入できるようになっている。
【００１１】
図１及び図３に示すように、上下のフード部２２１の内側には、レバー５をハウジング２に対し揺動自在に支持するための一対の支持突起２２１ａが収容溝Ｓ側に向かって突設されている。また、支持突起２２１ａはハウジング２の左右方向に並んで配置されている。図１に示すように、レバー５の側板５１がハウジング２のスリット８より挿入されて、上下のフード部２２１に設けられた２つの支持突起２２１ａが側板５１の揺動孔５１ａとガイド孔５１ｂにそれぞれ挿入されて、ハウジング２に揺動自在に支持される。
【００１２】
図２に示すように、ハウジング本体２１の外周には、シール部材３とフロントホルダ４が外嵌されて固定される（尚、図２ではフロントホルダ４が完全に挿入されていない仮係止状態となっている)。シール部材３は、収容溝Ｓ内に挿入されハウジング本体２１の外周に外嵌され、シール部材３の端面がハウジング本体２１に膨出して形成されている突当部２１ｂと当接して後方への位置決めがなされる。そして、ハウジング本体２１に外嵌されたシール部材３は、収容溝Ｓより左右のフード部２２２に設けられた貫通孔２２２ａと係止部材２３の貫通溝２３ａを介して、ハウジング２より外部に露呈される（請求項中の視認孔は、貫通孔２２２ａと貫通溝２３ａを意味する)。尚、相手側コネクタの嵌合フード部が挿入溝Ｓに挿入されコネクタ１と相手側のコネクタが嵌合すると、嵌合フード部はレバー５の側板５１とハウジング本体２１に外嵌されたフロントホルダ４との間に位置することになる。そしてまた、嵌合フード部の挿入端側（ハウジング２の後方側）では、嵌合フード部とハウジング本体２１との間にシール部材３が介在することになり両コネクタ間のシールが行なわれる。
【００１３】
図１に示すように、係止部材２３は左右のフード部２２２の上下方向における中央部に位置して、基端部２３ｂからハウジング２の前方に向けて延びており、前方端には指当部２３ｄを備えている。また、係止部材２３の前後方向の中央部には係合突起２３ｃが設けられており、両コネクタが嵌合すると、レバー５の操作部５２に設けられている被係合部５２ａと係合してレバー５の揺動が規制される。
【００１４】
図１及び図２に示すように、係止部材２３の後端部では、ハウジング２の上下方向の中央部でかつ前方に向かって、基端部２３ｂより係合突起２３ｃまで切り欠かれた貫通溝２３ａが形成されている。左右のフード部２２２の貫通溝２３ａと対面する位置には貫通孔２２２ａが形成されている。貫通溝２３ａと貫通孔２２２ａとは基端部２３ｂにおいて連通している。
【００１５】
次に、シール部材３、フロントホルダ４，レバー５，及び端子６をハウジング２に装着して構成されたコネクタ１について説明する。図４は組み立てられたコネクタ１の後方からの斜視図である。図５はコネクタ１の側面図である。
【００１６】
図４及び図５に示すように、ハウジング本体２１に外嵌されたシール部材３は、ハウジング２を構成している左右のフード部２２２の貫通孔２２２ａ、及び係止部材２３の貫通溝２３ａを通して、コネクタ１の左右方向の外面に露呈されている。このため、貫通溝２３ａ及び貫通孔２２２ａを通して、ハウジング２の収容溝Ｓにシール部材３が装着されているか否か、また、シール部材３の端面が突当部２１ｂに当接するまで挿入されているか否かを視認することができる。
【００１７】
上述したように、本実施形態によれば、相手側コネクタの嵌合フード部が挿入される収容溝Ｓ内であり、ハウジング本体２１に外嵌されているシール部材３を、係止部材２３の貫通溝２３ａとハウジング２の左右のフード部２２２に開口した貫通孔２２２ａを通して外部から視認できる。このため、収容溝Ｓ内でのシール部材３の装着状態を十分に確認することができる。
【００１８】
また、本実施形態によれば、ハウジング２の左右方向の中心に対し支持突起２２１ａと係止部材２３が線対称に形成されており、また、左右側面に貫通溝２３ａと貫通孔２２２ａが設けられていることから、ハウジング２に対してレバー５を左右の何れの向きにも取り付けられる。したがって、レバー５の操作部５２が位置する側でのシール部材３の装着状態の確認作業が困難な場合でも、反対側で容易に確認できる。
【００１９】
また、係止部材２３に基端部２３ｂから前方に延びる貫通溝２３ａを設けることで、指当部２３ｄを操作して係止部材２３を僥めて係合突起２３ｃとレバー５の被係合部５２ａとの係合を解除するために必要な力を低減させることができる。このため、レバー５の係合解除の操作を容易に行なうことができる。
【００２０】
上記実施例では、収容溝Ｓが相手側コネクタの嵌合フードを収容する場合について説明したが、相手側コネクタと共にシール部材３を収容するものであれば、その構成は任意である。また、上記実施例では、係止部材２３が貫通溝２３ａを、また、左右のフード部２２２が貫通孔２２２ａをハウジング２の左右側面に１つずつ備える場合について説明したが、貫通溝２３ａ及び貫通孔２２２ａを通して収容溝Ｓ内のシール部材３を外部から視認できるのであれば、その数は任意であり、また、形状も任意である。
【００２１】
上記実施形態では、シール部材３が収容溝Ｓ内でハウジング本体２１の外周に突当部２１ｂに当接する位置に装着される場合について説明した。しかしながら、収容溝Ｓ内におけるシール部材３の収容位置は、貫通溝２３ａ及び貫通孔２２２ａを通して外部から視認できるのであれば任意であり、また、収容溝Ｓ内に装着されるシール部材３の形状と数量も任意である。
【図面の簡単な説明】
【００２２】
【図１】本発明の一実施形態のコネクタの後方からの分解斜視図である。
【図２】図１に示すコネクタの横断面図である。
【図３】図１に示すコネクタの正面図である。
【図４】図１に示すコネクタの後方からの斜視図である。
【図５】図１に示すコネクタの右側面図である。
【符号の説明】
【００２３】
１        コネクタ
２        ハウジング
２１      ハウジング本体
２１ａ    端子収容室
２１ｂ    突当部
２２      フード
２２１    上下のフード部
２２１ａ  支持突起
２２２    左右のフード部
２２２ａ  貫通孔
２３      係止部材（ロックアーム）
２３ａ    貫通溝
２３ｂ    基端部
２３ｄ    指当部
４        フロントホルダ
５        レバー
５１      側板
５１ａ    揺動孔
５１ｂ    ガイド孔
５２      操作部
５２ａ    被係合部
６        端子
７        ゴム栓
８        スリット
Ｗ        電線
Ｓ        収容溝
【図１】
2010061911.tif 000003
【図２】
2010061911.tif 000004
【図３】
2010061911.tif 000005
【図４】
2010061911.tif 000006
【図５】
2010061911.tif 000007